(57)【特許請求の範囲】
【請求項１】
盤面上に遊技領域が形成された遊技盤と、
前記遊技盤に設けられた始動口と、
遊技球を前記遊技領域へ発射する発射装置と、
前記発射装置により発射された遊技球が前記始動口を通過したときに大当りかハズレかを判定する主制御回路が搭載された主制御基板と、
前記主制御基板が開口部から収容された第１部材と、
前記開口部を覆う第２部材と、
前記主制御回路から前記主制御基板を介して出力された信号に基づいて所定の演出を行う演出装置と、を備えたパチンコ機において、
前記開口部が前記第２部材によって覆われた状態が解除されたことを電気的に検出する検出手段と、
前記検出手段による検出結果の履歴を記憶する記憶手段と、
前記開口部が前記第２部材によって覆われた状態が解除されたことを示す検出結果の履歴が前記記憶手段に記憶されている場合は、前記主制御回路が前記演出装置へ出力する信号を、前記演出装置を制御することができない信号に書換える信号書換え手段と、
を備えることを特徴とするパチンコ機。
【請求項２】
盤面上に遊技領域が形成された遊技盤と、
前記遊技盤に設けられた入賞口と、
遊技球を前記遊技領域へ発射する発射装置と、
前記発射装置により発射された遊技球が前記入賞口を通過したときに賞球の払出しを命令する信号を出力する主制御回路が搭載された主制御基板と、
賞球を払出す賞球払出装置と、
前記主制御回路から前記主制御基板を介して送信された前記信号に基づいて前記賞球払出装置を駆動する払出制御回路が搭載された払出制御基板と、
前記払出制御基板が開口部から収容された第１部材と、
前記開口部を覆う第２部材と、を備えたパチンコ機において、
前記開口部が前記第２部材によって覆われた状態が解除されたことを電気的に検出する検出手段と、
前記検出手段による検出結果の履歴を記憶する記憶手段と、
前記開口部が前記第２部材によって覆われた状態が解除されたことを示す検出結果の履歴が前記記憶手段に記憶されている場合は、前記主制御回路が前記払出制御回路へ出力する信号を、前記払出制御回路が前記賞球払出装置を駆動することができない信号に書換える信号書換え手段と、
を備えることを特徴とするパチンコ機。
【請求項３】
前記記憶手段が前記主制御基板以外の箇所に設けられていることを特徴とする請求項１に記載のパチンコ機。
【請求項４】
前記記憶手段が前記払出制御基板以外の箇所に設けられていることを特徴とする請求項２に記載のパチンコ機。
【請求項５】
前記記憶手段が複数の基板に設けられているとともに同一の前記検出結果の履歴が各記憶手段に記憶されることを特徴とする請求項１ないし請求項４のいずれか１つに記載のパチンコ機。
【請求項６】
前記記憶手段が視認不可能な箇所に設けられていることを特徴とする請求項１ないし請求項５のいずれか１つに記載のパチンコ機。
【請求項７】
前記検出手段の検出機能および前記記憶手段の記憶内容がバックアップ電源によって保持されていることを特徴とする請求項１ないし請求項６のいずれか１つに記載のパチンコ機。
【請求項８】
前記検出手段は、
前記第１部材および第２部材の一方が他方に対して変位したときに動作するスイッチであることを特徴とする請求項１ないし請求項７のいずれか１つに記載のパチンコ機。
【請求項９】
前記検出手段は、
前記第１部材に設けられた第１導電部と、
前記第２部材に設けられており、前記第１導電部と電気的に接続された第２導電部と、を備えており、前記第１導電部および第２導電部が電気的に非接続状態になったことを検出するように構成されていることを特徴とする請求項１ないし請求項７のいずれか１つに記載のパチンコ機。
【発明の詳細な説明】
【技術分野】
【０００１】
この発明は、遊技球が始動口を通過したときに大当りかハズレかを判定する主制御回路が搭載された主制御基板と、この主制御基板が開口部から収容された第１部材と、その開口部を覆う第２部材と、主制御回路から主制御基板を介して出力された信号に基づいて所定の演出を行う演出装置とを備えたパチンコ機に関する。
【背景技術】
【０００２】
図２６は、従来のパチンコ機の正面説明図である。従来のパチンコ機９００は、発射ハンドル９０１と、遊技盤９０２と、始動口９０３と、演出表示器９０４と、変動入賞装置９０５とを備える。遊技者が発射ハンドル９０１を操作して発射された遊技球が始動口９０３に入賞すると、始動口９０３に入賞した遊技球を検出するスイッチがオンし、パチンコ機９００に内蔵されたマイクロコンピュータ（図２７において符号７０１で示す）が、大当りかハズレかの判定（以下、大当り判定という）を行う。
【０００３】
そして、演出表示器９０４が、複数の図柄の変動表示（スクロール表示ともいう）を開始する。たとえば、連続した異なる数字（たとえば、０〜９）を表現した図柄の配列（以下、図柄列という）を画面上の横方向３箇所の表示領域において、数字の昇順に画面の上から下へ移動するように表示する。また、機種によっては画面の右から左へ移動するように表示する。以下、これらのような図柄列の表示態様を図柄の変動表示という。
【０００４】
そして、演出表示器９０４が図柄の変動表示を開始してから所定時間経過すると、各表示領域において図柄の変動表示が停止し、前述したマイクロコンピュータ７０１による判定結果に対応する図柄が各表示領域に確定表示される。たとえば、抽選結果が大当りであった場合は、「７７７」などの同一数字から成る大当り図柄が確定表示され、抽選結果がハズレであった場合は、「７６７」などのハズレ図柄が確定表示される。なお、確定表示とは、大当り判定の結果を示す図柄が確定した表示状態のことであり、図柄が再変動することのない表示状態のことである。
【０００５】
演出表示器９０４が大当り図柄を確定表示すると大当りが発生し、変動入賞装置９０５が開閉部材９０６を開作動し、大入賞口９０７を開口させる。大入賞口９０７は、普通の入賞口よりも開口面積が大きいため、入賞が容易になる。そして、大入賞口９０７に規定数（たとえば、１０個）の遊技球が入賞したという条件、あるいは、大入賞口９０７の開口時間が規定時間（たとえば、３０秒）に達したという条件が満足されると、開閉部材９０６が閉成し、大入賞口９０７が閉口する。
【０００６】
そして、大入賞口９０７の開口から閉口までを１ラウンドとし、複数のラウンド（たとえば、最大１４ラウンド）が実行され、その間に遊技者は多量の賞球を獲得することができる。以下、第１ラウンドから最終ラウンドまでの遊技を大当り遊技という。また、特定の大当り図柄にて大当りが発生した場合は、この大当りに基づく大当り遊技が終了した以降の遊技状態が、大当りの発生確率の高い遊技状態に変化する。このように大当りの発生確率が低確率から高確率に変化することを確変と呼ぶ。以下、確変が発生する大当りのことを確変大当りといい、確変大当り以外の大当りのことを通常大当りという。また、確変に変化した遊技状態を確変遊技状態という。この確変遊技状態は、次の大当りが発生するまで継続する。
【０００７】
図２７は、図２６に示す従来のパチンコ機９００に設けられた主制御基板ケースの説明図であり、（ａ）は平面図、（ｂ）は左側面図である。
【０００８】
主制御基板ケース６００は、パチンコ機９００の裏面に設けられている。主制御基板ケース６００は、正面が開口したケース本体６０１と、このケース本体６０１の正面を覆うカバー６０２とを備える。ケース本体６０１は箱状に形成されており、カバー６０２は平板状に形成されている。ケース本体６０１には、マイクロコンピュータ７０１が搭載された主制御基板７００が正面の開口部から収容されている。ケース本体６０１およびカバー６０２は、複数のワンウエイねじ６０３によって開封不能に固定されている。
【０００９】
また、ケース本体６０１およびカバー６０２の境界には、それを跨ぐようにＲＦタグ（ＲＦＩＤタグ、または、ＩＣタグともいう）８０１が配置されている。さらに、ＲＦタグ８０１の上には、封印シール８００がケース本体６０１およびカバー６０２の境界を跨ぐように貼着されている。ＲＦタグ８０１には、パチンコ機９００を他のパチンコ機と識別するための固有の識別情報が記憶されている。また、ＲＦタグ８０１は、カバー６０２を無理にこじ開けると、ＲＦタグ８０１を構成するアンテナが断線し、通信不能となるように構成されている。また、封印シール８００は紙製であり、そのまま剥がすと、破れ、その痕跡が残るようになっている。
【００１０】
そして、パチンコ機９００をパチンコホールに設置したときに、ＲＦタグリーダを用いてＲＦタグ８０１の識別情報を読取り、その読取った識別情報が、予めＲＦタグリーダに登録されている識別情報と一致するか否かの検査を行う。このとき、ＲＦタグ８０１のアンテナが破損していると、読取りエラーが報知されるため、カバー６０２が開放され、マイクロコンピュータ７０１が不正なものに交換されたおそれがあると推定する。
【先行技術文献】
【特許文献】
【００１１】
【特許文献１】特開２０１０−１４８５９６号公報（第２２〜３０段落、図１１）
【発明の概要】
【発明が解決しようとする課題】
【００１２】
しかし、封印シールが破れないように、かつ、ＲＦタグのアンテナが断線しないように溶剤で封印シールを剥がし、主制御基板ケースを開封し、主制御基板のマイクロコンピュータを不正なマイクロコンピュータに交換して大当りが発生し易いようにする不正行為が発生した。この不正行為では、ＲＦタグが正常に機能するため、パチンコホールにおけるＲＦタグリーダを用いた検査では発見することができない。
【００１３】
そこでこの発明は、上述の問題を解決するためになされたものであり、主制御基板ケースが不正に開封された履歴のあるパチンコ機を容易に発見することができるパチンコ機を実現することを目的とする。
【課題を解決するための手段】
【００１４】
（請求項１に係る発明）
上記の目的を達成するため、この出願の請求項１に係る発明では、盤面上に遊技領域が形成された遊技盤（５）と、前記遊技盤に設けられた始動口（２１，２２）と、遊技球（Ｐ）を前記遊技領域へ発射する発射装置（４，４ａ〜４ｇ）と、前記発射装置により発射された遊技球が前記始動口を通過したときに大当りかハズレかを判定する主制御回路（５１）が搭載された主制御基板（５０）と、前記主制御基板が開口部から収容された第１部材（５５）と、前記開口部を覆う第２部材（５６）と、前記主制御回路から前記主制御基板を介して出力された信号に基づいて所定の演出を行う演出装置（３０）と、を備えたパチンコ機（１）において、前記開口部が前記第２部材によって覆われた状態が解除されたことを電気的に検出する検出手段（ＳＷ１）と、前記検出手段による検出結果の履歴を記憶する記憶手段（６７ｂ）と、前記開口部が前記第２部材によって覆われた状態が解除されたことを示す検出結果の履歴が前記記憶手段に記憶されている場合は、前記主制御回路が前記演出装置へ出力する信号を、前記演出装置を制御することができない信号に書換える信号書換え手段（６９）と、を備えるという技術的手段を用いる。
【００１５】
（請求項２に係る発明）
請求項２に係る発明では、盤面上に遊技領域が形成された遊技盤（５）と、前記遊技盤に設けられた入賞口（１７〜２２）と、遊技球を前記遊技領域へ発射する発射装置（４，４ａ〜４ｇ）と、前記発射装置により発射された遊技球が前記入賞口を通過したときに賞球の払出しを命令する信号を出力する主制御回路（５１）が搭載された主制御基板（５０）と、賞球を払出す賞球払出装置（３８）と、前記主制御回路から前記主制御基板を介して送信された前記信号に基づいて前記賞球払出装置を駆動する払出制御回路（６１）が搭載された払出制御基板（６０）と、前記払出制御基板が開口部から収容された第１部材（５５）と、前記開口部を覆う第２部材（５６）と、を備えたパチンコ機（１）において、前記開口部が前記第２部材によって覆われた状態が解除されたことを電気的に検出する検出手段（ＳＷ１）と、前記検出手段による検出結果の履歴を記憶する記憶手段（６７ｂ）と、前記開口部が前記第２部材によって覆われた状態が解除されたことを示す検出結果の履歴が前記記憶手段に記憶されている場合は、前記主制御回路が前記払出制御回路へ出力する信号を、前記払出制御回路が前記賞球払出装置を駆動することができない信号に書換える信号書換え手段（６９）と、を備えるという技術的手段を用いる。
【００１６】
（請求項３に係る発明）
請求項３に係る発明では、請求項１に記載のパチンコ機（１）において、前記記憶手段（６７ｂ）が前記主制御基板（５０）以外の箇所に設けられているという技術的手段を用いる。
【００１７】
（請求項４に係る発明）
請求項４に係る発明では、請求項２に記載のパチンコ機（１）において、前記記憶手段（６７ｂ）が前記払出制御基板（６０）以外の箇所に設けられているという技術的手段を用いる。
【００１８】
（請求項５に係る発明）
請求項５に係る発明では、請求項１ないし請求項４のいずれか１つに記載のパチンコ機（１）において、前記記憶手段（６７ｂ）が複数の基板に設けられているとともに同一の前記検出結果の履歴が各記憶手段に記憶されるという技術的手段を用いる。
【００１９】
（請求項６に係る発明）
請求項６に係る発明では、請求項１ないし請求項５のいずれか１つに記載のパチンコ機（１）において、前記記憶手段（６７ｂ）が視認不可能な箇所に設けられているという技術的手段を用いる。
【００２０】
（請求項７に係る発明）
請求項７に係る発明では、請求項１ないし請求項６のいずれか１つに記載のパチンコ機（１）において、前記検出手段（６７ａ）の検出機能および前記記憶手段（６７ｂ）の記憶内容がバックアップ電源（６７ｃ）によって保持されているという技術的手段を用いる。
【００２１】
（請求項８に係る発明）
請求項８に係る発明では、請求項１ないし請求項７のいずれか１つに記載のパチンコ機（１）において、前記検出手段（ＳＷ１）は、前記第１部材（５５）および第２部材（５６）の一方が他方に対して変位したときに動作するスイッチであるという技術的手段を用いる。
【００２２】
（請求項９に係る発明）
請求項９に係る発明では、請求項１ないし請求項７のいずれか１つに記載のパチンコ機（１）において、前記検出手段（ＳＷ１）は、前記第１部材（５５）に設けられた第１導電部（ＳＷ１ａ）と、前記第２部材（５６）に設けられており、前記第１導電部と電気的に接続された第２導電部（ＳＷ１ｂ）と、を備えており、前記第１導電部および第２導電部が電気的に非接続状態になったことを検出するように構成されているという技術的手段を用いる。
【００２３】
なお、上記各括弧内の符号は、後述する実施形態に記載の具体的手段との対応関係を示すものである。
【発明の効果】
【００２４】
（請求項１に係る発明）
主制御基板が収容された第１部材の開口部が第２部材によって覆われた状態が解除されると、それが検出手段によって検出され、その検出結果の履歴が記憶手段に記憶される。そして、信号書換え手段は、第１部材の開口部が第２部材によって覆われた状態が解除されたことを示す検出結果の履歴が記憶手段に記憶されている場合は、主制御回路が演出装置へ出力する信号を、演出装置を制御することができない信号に書換える。
【００２５】
したがって、請求項１に係る発明によれば、第１部材の開口部が第２部材によって覆われた状態を解除すると演出装置が作動しなくなるため、演出装置が作動しないパチンコ機を発見することにより、第１部材の開口部が第２部材によって覆われた状態を解除されたパチンコ機を容易に発見することができる。また、演出装置が作動しないと遊技が成立しないため、不正な賞球の払出しを阻止することもできる。
【００２６】
（請求項２に係る発明）
払出制御基板が収容された第１部材の開口部が第２部材によって覆われた状態が解除されると、それが検出手段によって検出され、その検出結果の履歴が記憶手段に記憶される。そして、信号書換え手段は、第１部材の開口部が第２部材によって覆われた状態が解除されたことを示す検出結果の履歴が記憶手段に記憶されている場合は、主制御回路が払出制御回路へ出力する信号を、払出制御回路が賞球払出装置を駆動することができない信号に書換える。
【００２７】
したがって、請求項２に係る発明によれば、第１部材の開口部が第２部材によって覆われた状態を解除すると賞球払出装置が作動しなくなるため、賞球払出装置が作動しないパチンコ機を発見することにより、第１部材の開口部が第２部材によって覆われた状態を解除されたパチンコ機を容易に発見することができる。また、賞球払出装置が作動しないため、不正な賞球の払出しを阻止することもできる。
【００２８】
（請求項３に係る発明）
請求項３に係る発明によれば、記憶手段が主制御基板以外の箇所に設けられているため、主制御基板を丸ごと不正な基板に交換された場合であっても、検出手段による検出結果の履歴が記憶手段に記憶されるため、第１部材の開口部が第２部材によって覆われた状態が解除されたパチンコ機を容易に発見することができる。
【００２９】
（請求項４に係る発明）
請求項４に係る発明によれば、記憶手段が払出制御基板以外の箇所に設けられているため、払出制御基板を丸ごと不正な基板に交換された場合であっても、検出手段による検出結果の履歴が記憶手段に記憶されるため、第１部材の開口部が第２部材によって覆われた状態が解除されたパチンコ機を容易に発見することができる。
【００３０】
（請求項５に係る発明）
請求項５に係る発明によれば、記憶手段が複数の基板に設けられているとともに同一の検出結果の履歴が各記憶手段に記憶されるため、記憶手段が設けられた１つの基板が不正に交換された場合であっても、その他の交換されていない基板に設けられた記憶手段に同一の検出結果の履歴を記憶することができる。
【００３１】
したがって、第１部材の開口部が第２部材によって覆われた状態を解除し、さらに、１つの記憶手段に記憶されている履歴を消去したり、記憶手段を不正なものに交換したりするなどの不正行為が行われた場合であっても、演出装置または賞球払出装置が作動しないようにすることができる。
したがって、第１部材の開口部が第２部材によって覆われた状態が解除されたパチンコ機の発見に万全を期すことができる。
【００３２】
（請求項６に係る発明）
請求項６に係る発明によれば、記憶手段が視認不可能な箇所に設けられているため、記憶手段に記憶されている履歴を消去したり、記憶手段を不正なものに交換したりするなどの不正行為を阻止することができる。
【００３３】
（請求項７に係る発明）
請求項７に係る発明によれば、検出手段の検出機能および記憶手段の記憶内容がバックアップ電源によって保持されているため、パチンコ機に電源が供給されていない状態において第１部材の開口部が第２部材によって覆われた状態を解除する不正行為が発生した場合であっても、その検出結果の履歴を記憶手段に記憶保持することができる。
【００３４】
たとえば、パチンコ機をパチンコホールに設置する前の段階において、第１部材の開口部が第２部材によって覆われた状態を解除する不正行為の履歴を記憶手段に記憶保持することができるため、パチンコ機をパチンコホールに設置し、パチンコ機を試射した時点で、不正行為が行われたパチンコ機を容易に発見することができる。
したがって、パチンコホールに新しく導入されたパチンコ機が稼働する前の段階で、不正行為による被害を未然に防ぐことができる。
【００３５】
（請求項８に係る発明）
請求項８に係る発明によれば、第１部材および第２部材の一方が他方に対して変位したことを検出することができるため、第１部材の開口部が第２部材によって覆われた状態を完全に解除しないまでも、解除しようとした痕跡をも検出することができる。
【００３６】
（請求項９に係る発明）
請求項９に係る発明によれば、第１部材および第２部材が電気的に非接続状態になったことを検出することができるため、第１部材の開口部が第２部材によって覆われた状態を完全に解除しないまでも、解除しようとした痕跡をも検出することができる。
【図面の簡単な説明】
【００３７】
【図１】第１実施形態に係るパチンコ機の外観を示す正面斜視図である。
【図２】図１に示すパチンコ機の平面図である。
【図３】図１に示すパチンコ機に備えられた遊技盤の正面図である。
【図４】図３に示す遊技盤の正面斜視図である。
【図５】図３に示す遊技盤に設けられた可動役物４０が下降した状態を示す正面図である。
【図６】（ａ）は図３示す遊技盤に設けられた第１および第２変動入賞装置の正面拡大図、（ｂ）は図３に示す遊技盤に設けられた特別図柄表示装置、普通図柄表示装置、特別図柄記憶表示装置および普通図柄記憶表示装置の正面拡大図である。
【図７】図１に示すパチンコ機の背面斜視図である。
【図８】図１に示すパチンコ機の背面における内部構造の一部を示す部分背面図である。
【図９】（ａ）は図８に示す主制御基板ケース５７の正面図、（ｂ）は左側面図である。
【図１０】（ａ）は図８に示す主制御基板ケース５７の正面図、（ｂ）は右側面図、（ｃ）は底面図である。
【図１１】（ａ）は図８に示す主制御基板ケース５７の正面斜視図、（ｂ）は右側面図、（ｃ）は（ａ）において二点鎖線で囲んだ部分の拡大図、（ｄ）は（ｂ）において二点鎖線で囲んだ部分の拡大図である。
【図１２】図１１（ａ）に示す主制御基板ケース５７の分解斜視図である。
【図１３】（ａ）は封印シールの拡大図、（ｂ）は使用状態における封印シールの拡大図である。
【図１４】ＲＦタグの拡大図である。
【図１５】主制御基板ケースの開封を検出するスイッチの説明図である。
【図１６】スイッチおよび開封検出回路の電気的接続関係を示す説明図である。
【図１７】図１６に示す開封検出回路の電気的構成をブロックで示す説明図である。
【図１８】図１７に示す検出部が実行する主制御基板ケース開封検出処理の内容を示すフローチャートである。
【図１９】図１に示すパチンコ機の主な電気的構成の一部をブロックで示す説明図である。
【図２０】図１に示すパチンコ機の主な電気的構成の一部をブロックで示す説明図である。
【図２１】主制御用ＣＰＵおよび演出制御用ＣＰＵのインターフェースにおけるハードウェア構成を示す説明図である。
【図２２】主制御用ＣＰＵが実行する主な処理内容を示すメインフローチャートである。
【図２３】書換え回路が実行する演出制御信号書換え処理の内容を示すフローチャートである。
【図２４】第２実施形態に係るパチンコ機の電気的構成の一部をブロックで示す説明図である。
【図２５】第３実施形態に係るパチンコ機の電気的構成の一部をブロックで示す説明図である。
【図２６】従来のパチンコ機の外観を示す正面図である。
【図２７】（ａ）は図２６に示す従来のパチンコ機に備えられた主制御基板ケースの正面図、（ｂ）は左側面図である。
【発明を実施するための形態】
【００３８】
〈第１実施形態〉
この発明の第１実施形態について説明する。
［主要構成］
この実施形態に係るパチンコ機の主要構成について図を参照して説明する。図１は、この実施形態に係るパチンコ機の外観を示す正面斜視図であり、図２は、図１に示すパチンコ機の平面図である。
【００３９】
図１に示すように、この実施形態に係るパチンコ機１には、外殻を構成する外枠セット８が設けられており、この外枠セット８には前枠セット２が設けられている。その前枠セット２は天板１ａを備えており、その天板１ａの左端前方には回動軸部材１ｂが設けられている。前枠セット２には透明なガラス枠セット３が、回動軸部材１ｂを回動軸にして開閉可能に取付けられている。
【００４０】
ガラス枠セット３の内側には、遊技盤（図３において符号５で示す）が設けられており、前枠セット２の前面右下方には、遊技盤５へ遊技球を発射する発射装置を操作する発射ハンドル４ａが取付けられている。発射ハンドル４ａには、遊技球の発射強度を調節するための発射レバー４ｂが発射ハンドル４ａに対して回動自在に装着されている。
【００４１】
遊技盤５の下方には、パチンコ機１の内部から払出された賞球や貸球を収容する上受け皿６が設けられており、上受け皿６には、貸球の払出しを行うために遊技者が操作する球貸操作部６ａが設けられている。上受け皿６の下方には、上受け皿６の収容可能数を超えて流下した遊技球を収容する下受け皿７が設けられている。下受け皿７には、下受け皿７に収容されている遊技球を下受け皿７の外部へ排出するために遊技者が操作する球抜きレバー７ａが設けられている。
【００４２】
前枠セット２には、払出すべき遊技球が無いことを報知する球切れＬＥＤ１３と、遊技球の払出しの異常を報知する払出異常ＬＥＤ１４とが設けられている。また、前枠セット２には、効果音を発生する右スピーカ１０と、左スピーカ１１と、下スピーカ１２とが設けられている。また、上受け皿６には、遊技者が演出内容を選択するために操作する演出ボタン９が設けられている。
【００４３】
図２に示すように、パチンコ機１の背面上方には、遊技球を貯留するための球タンク８０が設けられている。パチンコ機１が設置されている島の上方には各パチンコ機に遊技球を供給する遊技球供給流路が配置されており、その遊技球供給経路から遊技球が球タンク８０に供給される。また、パチンコ機１の背面は、カバー９０によって覆われている。
【００４４】
［遊技盤の主要構成］
次に、パチンコ機１に備えられた遊技盤の主要構成について図を参照して説明する。
図３は図１に示すパチンコ機に備えられた遊技盤の正面図であり、図４は図３に示す遊技盤の正面斜視図である。図５は図３に示す遊技盤に設けられた可動役物４０が下降した状態を示す正面図である。図６（ａ）は図３示す遊技盤に設けられた第１および第２変動入賞装置の正面拡大図、（ｂ）は図３に示す遊技盤に設けられた特別図柄表示装置、普通図柄表示装置、特別図柄記憶表示装置および普通図柄記憶表示装置の正面拡大図である。
【００４５】
遊技盤５の盤面には、遊技球が流下する遊技領域が形成されており、遊技球の流下経路は、遊技盤５の盤面に打ち込まれた多数の遊技釘２９によって規制されている。遊技盤５の盤面の周囲には、発射ソレノイド（図１９において符号４ｆで示す）などの発射装置によって発射された遊技球を遊技領域に案内するためのレールセット１５が設けられている。
【００４６】
遊技盤５の中央には、センター飾り１６が設けられている。このセンター飾り１６は、図４に示すように盤面から前方へ突出する立体形状に形成されており、遊技領域の中央領域を占有している。センター飾り１６には、演出図柄を変動表示したり、各種の演出画像を表示する演出表示器３０が設けられている。この実施形態では、演出表示器３０は、液晶表示装置により構成されている。なお、ＬＥＤをドットマトリクス状に配置した表示器、７セグメントＬＥＤ、有機ＥＬパネルなどを演出表示器３０として用いることもできる。
【００４７】
センター飾り１６の左外面には、遊技球がセンター飾り１６の内部に流入可能な流入口１６ｂが開口形成されている。図５に示すように、センター飾り１６の内部には、流入口１６ｂから流入した遊技球を案内するための案内通路１６ｅが設けられている。センター飾り１６の左内面には、案内通路１６ｅによって案内された遊技球を流出させるための流出口１６ｃが開口形成されている。
【００４８】
センター飾り１６の下部には、流出口１６ｃから流出した遊技球が転動するためのステージ１６ｄが設けられている。流出口１６ｃから流出した遊技球は、ステージ１６ｄの上を流下経路Ｒ２にて流下し、流下経路Ｒ３〜Ｒ５のいずれかに沿って流下する。ステージ１６ｄの直下であって、流下経路Ｒ３に沿った箇所には、第１始動口２１が設けられている。ステージ１６ｄの上方には、流出口１６ｃから流出した遊技球以外の遊技球がステージ１６ｄに落下しないようにするための防護部材１６ｆが設けられている。センター飾り１６の上面には、案内部１６ａが形成されており、案内部１６ａに乗った遊技球は、流下経路Ｒ１に沿って、センター飾り１６の右方に形成された右寄り遊技領域へ案内される。
【００４９】
盤面の左側には、レールセット１５の内周に沿って左サイド飾り３６が設けられている。左サイド飾り３６とセンター飾り１６との間には、遊技球が流下する左寄り遊技領域が形成されている。その左寄り遊技領域には、遊技球の流下経路を変化させる風車３５が回転自在に設けられている。
【００５０】
左サイド飾り３６には、左袖上入賞口１７と、左袖入賞口１８と、左下入賞口１９とが設けられている。盤面の右側には、右サイド飾り３７が設けられており、その右サイド飾り３７には、右肩入賞口２０が設けられている。右寄り遊技領域のセンター飾り１６には、普通電動役物２７が設けられている。普通電動役物２７は、翼形状の開閉翼片２７ｃを備えている。開閉翼片２７ｃは、その基部が回動可能に軸支されており、その基部の回動によって先端を外方（図中では右方）へ開いたり内方（図中では左方）へ閉じたりする。
【００５１】
開閉翼片２７ｃが外方へ開くと、その開いた開閉翼片２７ｃとセンター飾り１６との間に第２始動口２２が形成される。図３は、開閉翼片２７ｃが外方へ開き、第２始動口２２が形成された状態を示す。遊技盤５の下方には、どこにも入賞などしなかった遊技球を回収するためのアウト口２６が開口形成されている。
【００５２】
演出表示器３０の上方であってセンター飾り１６の中央には、ＬＥＤによって装飾された可動役物４０が設けられている。図５に示すように、可動役物４０の両端は、支持部材４０ａ，４０ａによって支持されている。図５に示すように、可動役物４０は、所定の演出タイミングになると演出表示器３０の前面に自然落下し、図３に示すように、モータ（図２０において右リフトモータ４０ｄおよび左リフトモータ４０ｆで示す）などの昇降装置によって上昇して落下前の原点に復帰する。
【００５３】
また、可動役物４０は、モータ（図２０において家紋モータ４０ｂで示す）およびカム機構（図示せず）などの駆動装置によって振動する。図５に示すように、可動役物４０の背面には、ＬＥＤによって装飾された可動役物４３が設けられている。可動役物４３は、モータ（図２０において万華鏡モータ４３ａで示す）などの駆動装置によって回転し、可動役物４０が落下すると出現する。また、センター飾り１６の両側には、可動役物４１，４２が設けられている。可動役物４１，４２は、それぞれモータ（図２０において左竜モータ４１ａおよび右竜モータ４２ａで示す）などの駆動装置によって作動する。
【００５４】
また、図４に示すように、センター飾り１６の下部であって、演出表示器３０の前面下部には、箱状の収納部材４６が設けられている。この収納部材４６の内部には、図５に示す可動役物４４，４５が収納されている。可動役物４４，４５は、それぞれモータ（図２０において扉左モータ４４ａおよび扉右モータ４５ａで示す）などの駆動装置によって左右方向へ移動する。可動役物４４，４５は、合体したときに一つの意匠を構成する。
【００５５】
収納部材４６の正面および背面は、透光性材料によって形成されており、遊技者が可動役物４４，４５の状態を視認できるようになっている。また、相互に離反した可動役物４４，４５間に形成された空間の奥には、ＬＥＤにより装飾された装飾部材（図示省略）が設けられており、可動役物４４，４５が相互に離反したときに装飾部材の各ＬＥＤが点灯または点滅するようになっている。
【００５６】
この実施形態では、可動役物４０は、家紋を模した形状に形成されており、可動役物４０を装飾しているＬＥＤが点灯することによって家紋が浮き出るように構成されている。また、可動役物４３は万華鏡を模した形状に形成されており、可動役物４３を装飾しているＬＥＤが点灯または点滅することにより、あたかも万華鏡を覗いているように見える演出を行う。また、可動役物４１，４２は、それぞれ竜の頭を模した形状に形成されており、前述した駆動装置によって竜が口を開閉する。
【００５７】
図５は、可動役物４１，４２が作動し、一対の竜がそれぞれ口を開けた状態を示す。また、可動役物４１，４２の内部には、それぞれＬＥＤ４１ｃ，４２ｃが設けられており、そのＬＥＤが点灯することにより、あたかも竜が火を吹くように見える演出を行う。また、可動役物４４，４５は、それぞれ扉形状に形成されており、各前面には竜の一部がそれぞれ描かれている。そして、可動役物４４，４５が合体すると、竜が完成するようになっている。
【００５８】
上述した各可動役物４０〜４５は、遊技中の所定のタイミングで動作して演出効果を高める。また、各可動役物４０〜４５は、動作することにより、大当りの発生の予告、大当りの発生の示唆、演出表示器３０が大当り発生の確率が高い演出画像を表示することの予告など、各種の予告を行う。
【００５９】
図３において第１始動口２１と右肩入賞口２０との間（図中において符号Ｂで示す破線で囲まれた領域）には、図６（ａ）に示すように、第１変動入賞装置２４および第２変動入賞装置２５が上下に重ねて設けられている。第１変動入賞装置２４は、横長板状の第１開閉部材２４ｄを備えており、この第１開閉部材２４ｄは、ソレノイド（図１９において第１大入賞口ソレノイド２４ｂで示す）などの駆動装置によって開閉する。第１開閉部材２４ｄが開放すると、第１大入賞口２４ａが開口する。
【００６０】
第２変動入賞装置２５は、横長板状の第２開閉部材２５ｄを備えており、この第２開閉部材２５ｄは、ソレノイド（図１９において第２大入賞口ソレノイド２５ｂで示す）などの駆動装置によって開閉する。第２開閉部材２５ｄが開放すると、第２大入賞口２５ａが開口する。図６（ａ）は、第１大入賞口２４ａおよび第２大入賞口２５ａがそれぞれ開口した状態を示す。第１大入賞口２４ａおよび第２大入賞口２５ａは、大当りが発生したときに開口する。この実施形態では、第１開閉部材２４ｄおよび第２開閉部材２５ｄは、それぞれ横長の板状に形成されており、両側の下端を軸にして前後に開閉するように構成されている。
【００６１】
図３において左サイド飾り３６の左袖上入賞口１７の左側（図中において符号Ａで示す破線で囲まれた領域）には、図６（ｂ）に示すように、特別図柄表示装置３１と、普通図柄表示装置３３と、特別図柄保留数表示装置３２および普通図柄保留数表示装置３４とが設けられている。
この実施形態では、特別図柄表示装置３１、普通図柄表示装置３３、特別図柄保留数表示装置３２および普通図柄保留数表示装置３４は、それぞれＬＥＤにより構成されているが、液晶表示装置などにより構成することもできる。
【００６２】
特別図柄表示装置３１は複数（たとえば、図６（ｂ）に示すように７個）のＬＥＤにより構成されており、それらのＬＥＤは、遊技球が第１始動口２１または第２始動口２２に入賞すると所定の点滅パターンで点滅する。それらのＬＥＤが点灯したときの発光色および消灯したときのＬＥＤの地の色が特別図柄を構成し、ＬＥＤが点滅している状態が、特別図柄が変動表示している状態である。
【００６３】
特別図柄表示装置３１は、各ＬＥＤをランダムに点滅させ、その点滅が停止したときに点灯しているＬＥＤおよび消灯しているＬＥＤの組合せが特定の組合せであるときに大当りが発生し、その組合せの種類によって大当りの種類が異なる。大当りの種類は、大当り遊技において実行可能な最大ラウンド数、通常大当り、確変大当りおよび時短のうちの２つ以上を組み合わせて構成されている。また、大当りの種類によって第１変動入賞装置２４および第２変動入賞装置２５のどちらかが動作して大当り遊技が行われる。
ここで、時短とは、特別図柄が変動表示を開始してから変動表示を終了するまでに要する時間が短縮され、かつ、普通図柄が変動表示を開始してから変動表示を終了するまでに要する時間が短縮された遊技状態をいう。
【００６４】
特別図柄表示装置３１が特別図柄を変動表示しているときに遊技球が始動口２１または始動口２２に入賞したときは、その入賞に基づく特別図柄の変動表示は直ぐに実行されず、一旦保留される。その保留数は、特別図柄保留数表示装置３２によって表示される。この実施形態では、特別図柄保留数表示装置３２は４個のＬＥＤによって構成されており、そのＬＥＤの点灯数によって特別図柄保留数を表示する。つまり、この実施形態では、特別図柄保留数は最大４個である。
【００６５】
演出表示器３０は、特別図柄表示装置３１の演出効果を高める目的で設けられている。つまり、特別図柄表示装置３１は、複数のＬＥＤによって構成されており、ＬＥＤの点滅のみでは演出効果が乏しいため、演出表示器３０が演出図柄を変動表示したり、演出用の動画などの演出画像を表示したりすることによって演出効果を高めている。なお、演出図柄とは、ＬＥＤによって表示される特別図柄に代わって表示する演出用の図柄のことであり、複数の識別情報を表現した図柄である。たとえば、０〜９の数字を表現した図柄であり、演出表示器３０は、図柄列を数字の昇順に表示する。また、演出表示器３０は、動画および静止画像により構成された演出画像を単独で、あるいは、演出図柄と共に表示する。
【００６６】
演出表示器３０は、特別図柄表示装置３１が特別図柄の変動表示を開始すると同時に演出画像および演出図柄の表示を開始する。また、演出表示器３０は、特別図柄表示装置３１が特別図柄の変動表示を終了すると同時に演出画像および演出図柄の表示を終了し、特別図柄表示装置３１が確定表示した大当り図柄またはハズレ図柄に対応する演出図柄を確定表示する。
【００６７】
普通図柄表示装置３３は、複数（たとえば、図６（ｂ）に示すように２個）のＬＥＤにより構成されており、各ＬＥＤが点灯したときの発光色および消灯したときのＬＥＤの地の色が普通図柄を構成する。また、普通図柄表示装置３３がＬＥＤを点滅させている状態が、普通図柄が変動表示している状態であり、変動表示が終了したときに点灯および消灯しているＬＥＤの組合せによって普通図柄の当りまたはハズレが報知される。当りの普通図柄が確定表示されると、普通電動役物２７の開閉翼片２７ｃの開放時間が長くなり、普通電動役物２７への入賞が容易になる。つまり、単位時間当りに特別図柄が変動表示を開始する回数が多くなり、大当りが発生する確率が高くなる。
【００６８】
遊技球がゲート２３を通過すると、普通図柄表示装置３３が普通図柄の変動表示を開始する。そして、普通図柄表示装置３３が普通図柄を変動表示しているときに遊技球がゲート２３を通過したときは、その通過による普通図柄の変動表示が保留され、その保留数は普通図柄保留数表示装置３４により表示される。この実施形態では、普通図柄保留数表示装置３４は、４個のＬＥＤによって構成されており、そのＬＥＤの点灯数によって保留数を表示する。つまり、この実施形態では、普通図柄保留数は最大４個である。
【００６９】
［背面の構造］
次に、パチンコ機１の背面の構造について図を参照して説明する。
図７は、パチンコ機１の背面斜視図であり、図８は、パチンコ機１の背面における内部構造の一部を示す部分背面図である。
【００７０】
パチンコ機１の背面に設けられたカバー９０の内部には、主制御基板（図１０（ｃ）において符号５０で示す）が収容された主制御基板ケース５７などが設けられている。カバー９０の下方には、発射制御基板４が収容された発射制御基板ケース４ｈと、払出制御基板（図１９において符号６０で示す）が収容された払出制御基板ケース６５とが設けられている。主制御基板ケース５７の右方には、賞球を払出す賞球払出装置３８が設けられている。また、パチンコ機１の背面には、パチンコ機１にＡＣ２４Ｖを供給するための電源プラグ８２が接続されている。
【００７１】
［主制御基板ケースの構造］
次に、この出願に係る発明の特徴である主制御基板ケース５７の構造について図を参照して説明する。
図９（ａ）は図８に示す主制御基板ケースの正面図、（ｂ）は左側面図である。図１０（ａ）は図８に示す主制御基板ケースの正面図、（ｂ）は右側面図、（ｃ）は底面図である。図１１（ａ）は図８に示す主制御基板ケースの正面斜視図、（ｂ）は右側面図、（ｃ）は（ａ）において二点鎖線で囲んだ部分の拡大図、（ｄ）は（ｂ）において二点鎖線で囲んだ部分の拡大図である。図１２は図１１（ａ）に示す主制御基板ケースの分解斜視図である。
【００７２】
主制御基板ケース５７は、ケース本体５５およびカバー５６を備える。ケース本体５５には主制御基板５０が収容されている。この実施形態では、ケース本体５５は背面が開口した箱状に形成されており、カバー５６は、ケース本体５５の背面を覆う形状に形成されており、カバー５６の表面５６ａは平面に形成されている。ケース本体５５の裏面５５ｂが主制御基板５０の表面（基板面）に対向し、カバー５６の裏面５６ｂが主制御基板５０の裏面に対向している。ケース本体５５およびカバー５６は、透明の樹脂製であり、収容された主制御基板５０を外部から視認できるように構成されている。主制御基板５０は、ケース本体５５の開口した背面から収容されている。
【００７３】
ケース本体５５の表面５５ａには、主制御基板５０の基板面に搭載されたコネクタ５０ａの頭部を露出させるための窓５５ｋと、主制御基板５０から発生した熱を放熱するための放熱孔５５ｍとが開口形成されている。また、表面５５ａには、カバー５６を開封した者の氏名および開封した年月日を記入するための記入部５５ｎと、パチンコ機１の機種名を表示するための表示部５５ｐとが形成されている。
【００７４】
図９および図１０に示すように、ケース本体５５の左側面５５ｄの下端には、主制御基板ケース５７をパチンコ機１の背面の所定個所に取付けるための回動軸部材５５ｉが左方に突出形成されている。また、カバー５６の右側面５６ｃの下端には、主制御基板ケース５７をパチンコ機１の背面の所定個所に回動可能に取付けるための回動軸部材５６ｉが右方に突出形成されている。図１２に示すように、カバー５６の平面５６ｅには、内側下向きに屈曲したケース本体受け部５６ｇが形成されており、底面５６ｆには、内側上向きに屈曲したケース本体受け部５６ｈが形成されている。カバー５６の左側面５６ｄは開口形成されている。
【００７５】
ケース本体５５の平面５５ｅの左端には、右端が開口したカバー受け部５５ｇが形成されており、底面５５ｆの左端には、右端が開口したカバー受け部５５ｈが形成されている。カバー５６は、その開口した左側面５６ｄから、ケース本体５５の右側面５５ｃへ挿入され、ケース本体５５の平面５５ｅがカバー５６のケース本体受け部５６ｇによって保持され、ケース本体５５の底面５５ｆがカバー５６のケース本体受け部５６ｈによって保持される。また、カバー５６の平面５６ｅの左端に位置するケース本体受け部５６ｇは、ケース本体５５のカバー受け部５５ｇの右側面から挿入されて保持され、カバー５６の底面５６ｆの左端に位置するケース本体受け部５６ｈは、ケース本体５５のカバー受け部５５ｆの右側面から挿入されて保持される。
【００７６】
図１２に示すように、ケース本体５５の右側面５５ｃには、ケース本体側カシメ部５５ｊ，５５ｊが右方へ突出形成されており、各ケース本体側カシメ部５５ｊには、係止片５５ｊ１がそれぞれ右方へ突出形成されている。また、ケース本体側カシメ部５５ｊ，５５ｊ間には、皿ネジ５９ｂを挿通するためのネジ挿通部５５ｔが形成されている。カバー５６の右側面５６ｃには、カバー側カシメ部５６ｊ，５６ｊが右方へ突出形成されており、各カバー側カシメ部５６ｊには、ケース本体側カシメ部５５ｊの係止片５５ｊ１を係止するための係止孔５６ｊ１がそれぞれ形成されている。また、カバー側カシメ部５６ｊ，５６ｊ間には、皿ネジ５９ｂを挿入するためのネジ挿入部５６ｔが形成されている。また、各カバー側カシメ部５６ｊの表面には、カシメピン５８を挿入するための挿入孔がそれぞれ開口形成されている。
【００７７】
カバー５６の右側面５６ｃの上端には、主制御基板ケース５７をパチンコ機１の背面の所定個所に係止するための係止片５６ｋが右方へ突出形成されており、左側面５６ｄの上端には、主制御基板ケース５７をパチンコ機１の背面の所定個所に係止するための係止片５６ｋが左方へ突出形成されている。また、カバー５６の右側面５６ｃには、ケース本体５５の右側面５５ｃに形成された係止片５５ｓ，５５ｓを係止するための係止孔５６ｍ，５６ｍが開口形成されている。
【００７８】
主制御基板ケース５７には、上コネクタカバー５７ａおよび下コネクタカバー５７ｂが備えられている。上コネクタカバー５７ａには、主制御基板５０の表面５５ａにおいて平面５５ｅ寄りに設けられたコネクタ５０ａの頭部を露出させるための開口部５７ａ１と、ケース本体５５の左上角部のボス５５ｒを嵌合するためのボス嵌合孔５７ａ２と、タッピングネジ５９ａを挿通するためのネジ挿通孔５７ａ３とが形成されている。下コネクタカバー５７ｂには、主制御基板５０の表面５５ａにおいて底面５５ｆ寄りに設けられたコネクタ５０ａの頭部を露出させるための開口部５７ｂ１と、ケース本体５５の左下角部のボス５５ｒを嵌合するためのボス嵌合孔５７ｂ２とが形成されている。
【００７９】
各開口部５７ａ１，５７ｂ１は、露出させるコネクタ５０ａの外周と接触する大きさに形成されている。これにより、上コネクタカバー５７ａおよび下コネクタカバー５７ｂは、ケース本体５５の窓５５ｋから露出したコネクタ５０ａと、窓５５ｋとの間に隙間が形成されない。つまり、上コネクタカバー５７ａおよび下コネクタカバー５７ｂは、主制御基板ケース５７の外部からコネクタ５０ａの周囲に形成された隙間を通して金属線などを挿入し、主制御基板５０の回路に細工を施す不正行為を防止する役割を果たしている。
【００８０】
ケース本体５５の左端上下の角部および右端下の角部には、主制御基板５０をケース本体５５の裏面５５ｂに固定するためのボス５５ｒが形成されている。各ボス５５ｒは、ケース本体５５の裏面にも突出しており、ボス５５ｒと対応する主制御基板５０の角部に形成されたボス挿通孔に嵌合される。また、ケース本体５５の右端上の角部には、ケース本体５５、主制御基板５０およびカバー５６を一体的に固定するためのタッピングネジ５９ａを挿通するネジ挿通孔５５ｒ１が貫通形成されている。カバー５６の右端上の角部には、タッピングネジ５９ａを挿通するネジ挿通孔５６ｐが形成されている。
【００８１】
主制御基板ケース５７は、封印シール１００を保護するためのシールカバー５７ｃを備える。図１２に示すように、シールカバー５７ｃは、板状に形成されたシールカバー本体５７ｃ１と、このシールカバー本体５７ｃ１に形成された係止片５７ｃ２とを備える。シールカバー本体５７ｃ１は、ケース本体５５の左側面５５ｄに貼着された封印シール１００の表面を覆う大きさに形成されている。ケース本体５５の左側面５５ｄの正面寄りには、シールカバー５７ｃを取付けるためのシールカバー取付け部５７ｄが形成されている。シールカバー取付け部５７ｄには、シールカバー５７ｃの係止片５７ｃ２を係止するための係止孔５７ｄ１が形成されている。
【００８２】
［主制御基板ケースの封印構造］
次に、主制御基板ケース５７の封印構造について図を参照して説明する。
図１３（ａ）は封印シールの拡大図、（ｂ）は使用状態における封印シールの拡大図である。図１４はＲＦタグの拡大図である。図１５は主制御基板ケースの開封を検出するスイッチの説明図である。図１６はスイッチおよび開封検出回路の電気的接続関係を示す説明図である。
【００８３】
ケース本体５５およびカバー５６の左側面には、ケース本体５５およびカバー５６の境界に跨って封印シール１００が貼着されている。図１３（ａ）に示すように、封印シール１００は、矩形に形成されており、その裏面には、接着層から成る接着面１００ａが形成されている。この実施形態では、封印シール１００を剥がしたことを電気的に検出するため、接着面１００ａの接着力は、従来のように、剥がそうとすると容易に破れ、その痕跡が残るほどの接着力よりも小さい接着力で良い。
【００８４】
封印シール１００の接着面１００ａには、ＲＦタグ２００が貼着されている。この実施形態では、ＲＦタグ２００は帯状に形成されている。ＲＦタグ２００は、ＲＦタグリーダ（ＲＦタグ情報読取り装置）と通信を行うためのアンテナ２０１と、パチンコ機１を他のパチンコ機と識別するための固有の識別情報が記憶されたＩＣチップ２０２とを備える。アンテナ２０１は、導電性の金属により膜状に形成されており、複数の切り込み２０３が形成されている。各切り込み２０３は、アンテナ２０１の長手方向と直交する方向に長手方向の端部に形成されている。
【００８５】
各切り込み２０３は、アンテナ２０１の長手方向の端部から、封印シールの接着面１００ａにかけて形成されている。つまり、アンテナ２０１は、封印シール１００を剥がしたときに、その剥がした位置に近い切り込み２０３から容易に破断するように構成されている。このように、封印シール１００を剥がすとアンテナ２０１が破断してＲＦタグ２００が機能しなくなり、ＲＦタグリーダを用いてＲＦタグ２００を読取る際に読取りエラーとなる。これにより、ＲＦタグ２００のアンテナ２０１が破断している、つまり、封印シール１００が剥がされ、主制御基板５０に不正行為が行われていると推定することができる。
【００８６】
ＩＣチップ２０２は、パチンコ機１の固有の識別情報が記憶された記憶部（図示省略）と、この記憶部に記憶されている識別情報を読出すための制御回路（図示省略）と、ＲＦタグリーダと通信を行い、制御回路により読出された識別情報をＲＦタグリーダへ送信するための通信回路（図示省略）とを備える。この実施形態では、ＲＦタグ２００は、バッテリを持たない受動型のＲＦタグである。
【００８７】
図１５に示すように、ケース本体５５の右側面５５ｃには、主制御基板ケース５７が開封されたことを検出するスイッチＳＷ１が取付けられている。スイッチＳＷ１は、スイッチ本体ＳＷ１ｂと、押圧部材ＳＷ１ａとを備える。スイッチ本体ＳＷ１ｂはケース本体５５の裏面に取り付けられている。押圧部材ＳＷ１ａはスイッチ本体ＳＷ１ｂに対して進退可能に設けられている。
【００８８】
押圧部材ＳＷ１ａは、ケース本体５５の開口部がカバー５６によって覆われた状態、つまり主制御基板ケース５７が開封されていない状態ではスイッチ本体ＳＷ１ｂの内部に埋没する。また、押圧部材ＳＷ１ａは、ケース本体５５の開口部がカバー５６によって覆われた状態が解除された状態、つまり主制御基板ケース５７が開封された状態ではケース本体５５の右側面５５ｃを貫通して右方に突出する。ケース本体５５の右側面５５ｃには、押圧部材ＳＷ１ａが突出時に通過する貫通孔（図示省略）が形成されている。
【００８９】
押圧部材ＳＷ１ａは、バネなどの付勢部材を介しスイッチ本体ＳＷ１ｂに取付けられており、主制御基板ケース５７が開封されていない状態では、カバー５６の右側面５６ｃの裏面５６ｃ１に押圧され、上記の付勢部材の付勢力に抗した状態でスイッチ本体ＳＷ１ｂの内部に埋没している。また、押圧部材ＳＷ１ａは、主制御基板ケース５７が開封されると、上記付勢部材の付勢力によってスイッチ本体ＳＷ１ｂから突出し、ケース本体５５の右側面５５ｃの貫通孔から右方へ突出する。
【００９０】
この実施形態では、スイッチＳＷ１はｂ接点式のスイッチであり、主制御基板ケース５７が開封されておらず、押圧部材ＳＷ１ａがスイッチ本体ＳＷ１ｂに埋没した状態では接点が開いたスイッチオフの状態を維持する。また、主制御基板ケース５７が開封され、押圧部材ＳＷ１ａがスイッチ本体ＳＷ１ｂから突出した状態になると接点が閉じてスイッチオンになる。
【００９１】
図１６に示すように、スイッチＳＷ１は、主制御基板５０に設けられたコネクタ５０ｃと電気的に接続されており、コネクタ５０ｃは開封検出回路６７と電気的に接続されている。スイッチＳＷ１は、ケース本体５５の右側面５５ｃの裏面に取付けても良いし、主制御基板５０の基板面に取付けても良い。スイッチＳＷ１を主制御基板５０の基板面に取付ける場合は、スイッチＳＷ１およびコネクタ５０ｃ間の配線は、主制御基板５０の基板面へのプリント配線によって行えば、他のプリント配線と同時に行うことができるため、配線効率を高めることができる。また、スイッチＳＷ１およびコネクタ５０ｃ間の配線は、ケーブルによる配線でも良い。
【００９２】
［主制御基板ケースの組付け方法］
主制御基板５０の基板面に配置された各コネクタ５０ａに上コネクタカバー５７ａおよび下コネクタカバー５７ｂを被せ、主制御基板５０をケース本体５５の開口した背面から収容する。このとき、ケース本体５５の左上角部のボス５５ｒを上コネクタカバー５７ａのボス嵌合孔５７ａ２および主制御基板５０の左上角部のボス嵌合孔（図示省略）に嵌合する。また、ケース本体左下角部のボス５５ｒを下コネクタカバー５７ｂのボス嵌合孔５７ｂ２および主制御基板５０の左下角部のボス嵌合孔（図示省略）に嵌合する。また、ケース本体右下角部のボス５５ｒを主制御基板５０の右下角部のボス嵌合孔（図示省略）に嵌合する。
【００９３】
また、ケース本体５５の左側面５５ｄの裏面に取付けられた端子５５ｑを主制御基板５０に設けられたコネクタ５０ｂに接続する。そして、ケース本体５５の右側面５５ｃからカバー５６の左側面５６ｄを挿入して左方へスライドさせ、ケース本体５５の右側面５５ｃに形成された各係止片５５ｓをカバー５６の右側面５６ｃに形成された各係止孔５６ｍに係止する。このとき、各ケース本体側カシメ部５５ｊの各係止片５５ｊが各カバー側カシメ部５６ｊの各係止孔５６ｊ１に係止される。また、スイッチＳＷ１の押圧部材ＳＷ１ａは、カバー５６の右側面５６ｃの裏面５６ｃ１に当接して押圧され、スイッチ本体ＳＷ１ｂの内部に埋設し、スイッチオフの状態になる。
【００９４】
そして、タッピングネジ５９ａをケース本体５５のネジ挿通孔５５ｒ１、上コネクタカバー５７ａのネジ挿通孔５７ａ３およびカバー５６のネジ挿通孔５６ｐねじ込み、ケース本体５５にカバー５６を固定する。また、皿ネジ５９ｂをケース本体５５のネジ挿通部５５ｔに挿通し、さらに、カバー５６のネジ挿通部５６ｔにねじ込む。さらに、カシメピン５８，５８に接着剤を塗布し、その各カシメピン５８の先端に形成された係止片５８ｂをカバー側カシメ部５６ｊ，５６ｊに挿入する。
【００９５】
これにより、係止片５８ｂが、カバー側カシメ部５６ｊの係止孔５６ｊ１に係止されたケース本体側カシメ部５５ｊの係止片５５ｊ１を挟持し、さらに、各係止片５８ｂがカバー側カシメ部５６ｊの内部に係止される。また、各カバー側カシメ部５６ｊのうち、カシメピン５８の挿入口は、カシメピン５８の基部５８ａによってそれぞれ閉塞される。
【００９６】
そして、ＲＦタグ２００がケース本体５５およびカバー５６の各左側面を跨ぐように封印シール１００を主制御基板ケース５７の左側面に貼着する。続いて、シールカバー５７ｃの係止片５７ｃ２をシールカバー取付け部５７ｄの係止孔５７ｄ１に係止し、シールカバー５７ｃを主制御基板ケース５７に取付け、封印シール１００の表面を保護する。
【００９７】
［開封検出回路の電気的構成］
次に、開封検出回路６７の電気的構成についてそれをブロックで示す図１７を参照して説明する。
【００９８】
主制御基板ケース５７が開封されたことを検出する開封検出回路６７は、主制御基板５０および払出制御基板６０以外の箇所に設けられており、主制御基板ケース５７が開封されたか否かを検出する検出部６７ａと、検出部６７ａの検出履歴を記憶する記憶部６７ｂと、検出部６７ａの検出機能および記憶部６７ｂの記憶内容を保持するためのバックアップ電源６７ｃとを備える。検出部６７ａには、スイッチＳＷ１が電気的に接続されている。
【００９９】
パチンコ機１に電源が供給されていない状態でも、検出部６７ａおよび記憶部６７ｂにはバックアップ電源６７ｃから電源が供給されており、スイッチＳＷ１には、それぞれ所定の大きさの電圧が印加されている。主制御基板ケース５７が開封されていない状態では、スイッチＳＷ１は開いた（オフした）状態になっている。検出部６７ａは、スイッチＳＷ１が閉じた（オンした）か否かを判定する。たとえば、スイッチＳＷ１に印加されている電圧が上昇した場合にスイッチＳＷ１が閉じたと判定する。
【０１００】
スイッチＳＷ１が閉じたという判定結果の履歴は、記憶部６７ｂに記憶保持される。検出部６７ａおよび記憶部６７ｂは、バックアップ電源６７ｃから電源の供給を受けているため、パチンコ機１が電源に接続されていないときでも、主制御基板ケース５７が開封されたことを検出し、その検出結果を記憶保持することができる。
【０１０１】
この実施形態では、検出部６７ａは、スイッチＳＷ１に電圧を印加する電圧印加回路、スイッチＳＷ１の印加電圧を検出する電圧検出回路、この電圧検出回路により検出された電圧の変化を判定するマイクロコンピュータなどにより構成されている。また、記憶部６７ｂは、フラッシュメモリであり、バックアップ電源６７ｃは、電池、または、充電されたコンデンサ（たとえば、電気二重層コンデンサ）である。
【０１０２】
［主制御基板ケース開封検出処理］
次に、検出部６７ａが実行する主制御基板ケース開封検出処理の内容についてそれを示す図１８のフローチャートを参照して説明する。なお、以下の説明では、処理ステップをＳと略す。
【０１０３】
検出部６７ａは、スイッチＳＷ１に印加されている電圧Ｖ１を検出し、その検出した電圧Ｖ１が所定の閾値以上になったか否かに基いて、スイッチＳＷ１がオンしたか否かを判定する（Ｓ１）。ここで、スイッチＳＷ１がオンしたと判定した場合は（Ｓ１：Ｙｅｓ）、主制御基板ケース５７が開封されたことを示すデータ１を記憶部６７ｂに記憶する（Ｓ２）。つまり、主制御基板ケース５７が開封された履歴が記憶部６７ｂに残る。
【０１０４】
［パチンコ機の主な電気的構成］
次に、パチンコ機１の主な電気的構成についてそれをブロックで示す図１９および図２０を参照して説明する。
【０１０５】
図１９に示すように、主制御基板５０には、主制御用ＭＰＵ（マイクロプロセッサーユニット）５１が搭載されている。主制御用ＭＰＵ５１は、主制御用ＣＰＵ５２と、主制御用ＲＯＭ５３と、主制御用ＲＡＭ５４とを備える。主制御基板５０には開封検出回路６７が電気的に接続されている。主制御用ＣＰＵ５２は、大当り判定、大当り図柄の抽選、大当りの種類の抽選、ハズレ図柄の抽選、特別図柄変動時間（演出図柄変動時間）の抽選、入賞の検出、ゲート通過の検出、普通図柄の当り判定、賞球の払出命令など、遊技における重要な処理を実行する。
【０１０６】
主制御用ＲＯＭ５３には、主制御用ＣＰＵ５２が上記の各処理を実行するためのコンピュータプログラム、各制御基板へ送信する制御コマンド、大当り判定を行う際に参照する大当り値などが読出し可能に格納されている。主制御用ＲＡＭ５４は、主制御用ＣＰＵ５２が上記のコンピュータプログラムを実行するときに使用するワーク領域を有する。また、主制御用ＲＡＭ５４は、主制御用ＣＰＵ５２が上記のコンピュータプログラムを実行することにより発生する処理結果および判定結果などを読出しおよび書換え可能に格納する。
【０１０７】
また、主制御基板５０には、第１始動口２１に入賞した遊技球を検出する第１始動口スイッチ２１ａと、第２始動口２２に入賞した遊技球を検出する第２始動口スイッチ２２ａとが電気的に接続されている。また、主制御基板５０には、図柄表示基板８４が電気的に接続されている。図柄表示基板８４には、特別図柄表示装置３１と、特別図柄保留数表示装置３２と、普通図柄表示装置３３と、普通図柄保留数表示装置３４とが搭載されている。また、主制御基板５０には、払出制御基板６０と、外部端子板８５と、セキュリティ中継端子板８９とが電気的に接続されている。
【０１０８】
セキュリティ中継端子板８９には、不正行為において使用される誘導磁界を検出するための誘導磁界センサ９１と、不正行為において使用される磁気を検出するための第１磁気センサ９２と、第２磁気センサ９３とが電気的に接続されている。
【０１０９】
払出制御基板６０には、下受け皿７が遊技球で満杯になった状態を検出するための下皿満杯スイッチ７ｂと、扉開放中継端子板８６とが電気的に接続されている。扉中継端子板８６には、ガラス枠セット３が開放された状態を検出するための扉開放スイッチ８７と、外枠セット８が開放された状態を検出するための外枠開放スイッチ８８とが電気的に接続されている。また、払出制御基板６０には、払出中継端子板８３が電気的に接続されており、払出中継端子板８３には、遊技球を上受け皿６へ払出す部材を駆動するための払出モータ３８ｃと、この払出モータ３８ｃによって払出された遊技球を検出するための前部払出センサ３８ａ，後部払出センサ３８ｂと、払出モータ３８ｃによって払出す遊技球が切れていることを検出する前部球切れスイッチ３８ｄ，後部球切れスイッチ３８ｅとが電気的に接続されている。
【０１１０】
払出制御基板６０には、払出制御用ＭＰＵ６１が搭載されており、その払出制御用ＭＰＵ６１は、払出制御用ＣＰＵ６２と、払出制御用ＲＯＭ６３と、払出制御用ＲＡＭ６４とを備える。払出制御用ＣＰＵ６２は、主制御用ＭＰＵ５１から送信される払出制御コマンドに従って払出モータ３８ｃを制御し、賞球の払出しを制御する。また、払出制御用ＣＰＵ６２は、前部払出センサ３８ａおよび後部払出センサ３８ｂからそれぞれ出力される信号の変化を検出し、払出された賞球数を計数する。
【０１１１】
払出制御用ＲＯＭ６３には、払出制御用ＣＰＵ６２が実行するコンピュータプログラムなどが読出し可能に格納されている。払出制御用ＲＡＭ６４は、払出制御用ＣＰＵ６２が上記のコンピュータプログラムを実行するときに使用するワーク領域を有する。また、払出制御用ＲＡＭ６４は、払出制御用ＣＰＵ６２が上記のコンピュータプログラムを実行することにより発生する処理結果および判定結果などを読出しおよび書換え可能に格納する。また、払出制御基板６０には、プリペイドカードなどのプリペイド媒体の残り度数を表示する度数表示基板９７が遊技球等貸出装置接続端子板９６を介して電気的に接続されている。
【０１１２】
さらに、発射制御基板４には、遊技球を発射する発射装置を駆動する発射ソレノイド４ｆと、遊技球を発射位置へ供給する球供給装置を駆動する球送りソレノイド４ｇと、発射レバー４ｂの回動量に応じて発射装置４の発射強度を調節するための発射強度電子ボリューム４ｃと、遊技者が発射レバー４ｂに触れたことを検出して発射装置４を駆動させるためのタッチスイッチ４ｄと、発射レバー４ｂの回動によってオンまたはオフし、発射ソレノイド４ｆを駆動する発射スイッチ４ｅとが電気的に接続されている。
【０１１３】
主制御基板５０には、盤面中継端子板３７が電気的に接続されており、その盤面中継端子板３７には、左袖上入賞口１７に入賞した遊技球を検出するための左袖上入賞口スイッチ１７ａと、左袖入賞口１８に入賞した遊技球を検出するための左袖入賞口スイッチ１８ａと、左下入賞口１９に入賞した遊技球を検出するための左下入賞口スイッチ１９ａと、右肩入賞口２０に入賞した遊技球を検出するための右肩入賞口スイッチ２０ａと、第１大入賞口２４ａに入賞した遊技球を検出するための第１大入賞口スイッチ２４ｃと、ゲート２３を通過した遊技球を検出するためのゲートスイッチ２３ａと、第２大入賞口２５ａに入賞した遊技球を検出するための第２大入賞口スイッチ２５ｃと、第１変動入賞装置２４を駆動するための第１大入賞口ソレノイド２４ｂと、普通電動役物２７を駆動するための普通電動役物ソレノイド２７ｂと、第２変動入賞装置２５を駆動するための第２大入賞口ソレノイド２５ｂとが電気的に接続されている。
【０１１４】
また、パチンコ機１には、主電源（ＡＣ／２４Ｖ）９５に接続された電源基板９４が備えられており、電源基板９４は、主電源９５から供給される電源を主制御基板５０と、払出制御基板６０と、遊技球等貸出装置接続端子板９６とに供給する。
【０１１５】
図２０に示すように、パチンコ機１には、演出制御基板４００が設けられており、その演出制御基板４００には、画像音声制御基板７０と、盤面演出中継端子板８２と、盤面ＬＥＤ中継端子板８１と、補助演出駆動基板５００と、演出電源基板９８とが電気的に接続されている。演出制御基板４００には、演出制御用ＣＰＵ４０２を備えた演出制御用ＭＰＵ４０１が搭載されている。演出制御用ＣＰＵ４０２は、主制御基板５０（図１９）から送信された演出制御信号を受信し、その受信した演出制御信号を対応する基板に振り分ける処理などを行う。
【０１１６】
画像音声制御基板７０には、液晶中継端子板３０ａを介して演出表示器３０が電気的に接続されている。また、画像音声制御基板７０には、盤面演出中継端子板８２が電気的に接続されており、その盤面中継端子板８２には、枠部演出中継端子板８３を介して右スピーカ１０と、左スピーカ１１と、下スピーカ１２とが電気的に接続されている。また、枠部演出中継端子板８３には、枠部ＬＥＤ駆動基板６６を介して照光付演出スイッチ９ａが電気的に接続されている。照光付演出スイッチ９ａは、演出ボタン９を押圧操作したときにオンし、演出ボタン９に内蔵されているＬＥＤを点灯させるスイッチである。
【０１１７】
画像音声制御基板７０には、画像音声制御用ＭＰＵ７１が搭載されている。画像音声制御用ＭＰＵ７１は、画像音声制御用ＣＰＵ７２と、画像音声制御用ＲＯＭ７３と、画像音声制御用ＲＡＭ７４とを備える。画像音声制御用ＣＰＵ７２は、主制御基板５０から演出制御基板４００を介して送信された演出制御信号に従って演出表示器３０を制御し、演出制御信号に対応する画像を演出表示器３０に表示させる。また、画像音声制御用ＣＰＵ７２は、主制御基板５０から演出制御基板４００を介して送信された演出制御信号に従って各スピーカ１０〜１２を駆動し、演出制御信号に対応する効果音を各スピーカ１０〜１２から出力させる。
【０１１８】
画像音声制御用ＲＯＭ７３には、画像音声制御用ＣＰＵ７２が実行するコンピュータプログラムが読出し可能に格納されている。また、画像音声制御用ＲＯＭ７３には、画像音声制御用ＣＰＵ７２がコンピュータプログラムを実行するときに参照する各種のテーブルが読出し可能に格納されている。
また、画像音声制御用ＲＯＭ７３には、特別図柄、普通図柄および演出図柄などの変動パターンを決定するためのテーブルが格納されている。また、画像音声制御用ＲＯＭ７３には、パチンコ機１に設けられた演出用のＬＥＤの点灯パターンを決定するためのテーブル、効果音や音楽の種類を決定するためのテーブルなど、演出に必要なテーブルやデータなどが格納されている。
【０１１９】
画像音声制御用ＲＡＭ７４は、画像音声制御用ＣＰＵ７２がコンピュータプログラムを実行するときに使用するワーク領域を有する。また、画像音声制御用ＲＡＭ７４は、画像音声制御用ＣＰＵ７２がコンピュータプログラムを実行することにより発生する処理結果および判定結果などを読出しおよび書換え可能に格納する。
【０１２０】
補助演出駆動基板５００には、補助演出上中継端子板９９と、補助演出右中継端子板６８と、補助演出下中継端子板９８とが電気的に接続されている。補助演出上中継端子板９９には、可動役物４３を回転させる万華鏡モータ４３ａと、可動役物４３が原点に復帰したことを検出する万華鏡原点センサ４３ｂと、可動役物４２を駆動する右竜モータ４２ａと、可動役物４２が原点に復帰したことを検出する右竜原点センサ４２ｂと、可動役物４１を駆動する左竜モータ４１ａと、可動役物４１が原点に復帰したことを検出する左竜原点センサ４１ｂとが電気的に接続されている。
【０１２１】
補助演出右中継端子板６８には、可動役物４０を振動させる家紋モータ４０ｂと、可動役物４０ｂの位置を検出する家紋位置確認センサ４０ｃと、可動役物４０を上昇させる右リフト（図示省略）を駆動する右リフトモータ４０ｄと、右リフトが原点に復帰したことを検出する右リフト原点センサ４０ｅとが電気的に接続されている。
補助演出下中継端子板９８には、可動役物４０を上昇させる左リフト（図示省略）を駆動する左リフトモータ４０ｆと、左リフトが原点に復帰したことを検出する左リフト原点センサ４０ｇと、可動役物４５を移動させる扉右モータ４５ａと、可動役物４５が原点に復帰したことを検出する扉右原点センサ４５ｂと、可動役物４４を移動させる扉左モータ４４ａと、可動役物４４が原点に復帰したことを検出する扉左原点センサ４４ｂとが電気的に接続されている。
【０１２２】
補助演出駆動基板５００には、補助演出制御用ＭＰＵ５０１が搭載されている。補助演出制御用ＭＰＵ５０１は、補助演出制御用ＣＰＵ５０２と、補助演出制御用ＲＯＭ５０３と、補助演出制御用ＲＡＭ５０４とを備える。補助演出制御用ＣＰＵ５０２は、主制御基板５０から演出制御基板４００を介して送信された演出制御信号に従って可動役物４０〜４５の動作を制御する。補助演出制御用ＲＯＭ５０３には、補助演出制御用ＣＰＵ５０２が実行するコンピュータプログラムが読出し可能に格納されている。また、補助演出制御用ＲＯＭ５０３には、補助演出制御用ＣＰＵ５０２がコンピュータプログラムを実行するときに参照する各種のテーブル（たとえば、可動役物４０〜４５の動作パターン）が読出し可能に格納されている。
【０１２３】
補助演出制御用ＲＡＭ５０４は、補助演出制御用ＣＰＵ５０２がコンピュータプログラムを実行するときに使用するワーク領域を有する。また、補助演出制御用ＲＡＭ５０４は、補助演出制御用ＣＰＵ５０２がコンピュータプログラムを実行することにより発生する処理結果および判定結果などを読出しおよび書換え可能に格納する。
【０１２４】
演出電源基板９８は、電源基板９４（図１９）から供給される電源を演出電源基板９８と電気的に接続された各基板へ分配する。盤面ＬＥＤ中継端子板８１には、遊技盤５に設けられた装飾用の各ＬＥＤが搭載されている。
【０１２５】
［制御コマンドの流れ］
次に、主制御用ＣＰＵ５２が出力する制御コマンドの流れについて図を参照して説明する。図２１は、主制御用ＣＰＵ５２および演出制御用ＣＰＵ４０２のインターフェースにおけるハードウェア構成を示す説明図である。
【０１２６】
主制御用ＣＰＵ５２および演出制御用ＣＰＵ４０２は、通信回路（たとえば、シリアル通信回路）を介して電気的に接続されている。また、その通信回路には、演出制御信号を書換える書換え回路６９が電気的に接続されており、書換え回路６９は開封検出回路６７と電気的に接続されている。書換え回路６９は、入力した信号が演出制御信号であるか否かの判定および演出制御信号の書換えなどを行うＭＰＵ６９ａを備える。
【０１２７】
主制御用ＣＰＵ５２は、演出を指示する演出制御信号を演出制御用ＣＰＵ４０２へ出力する。たとえば、主制御用ＣＰＵ５２は、抽選により決定した演出図柄の変動パターンの表示を指示する演出制御信号を演出制御用ＣＰＵ４０２へ出力する。この実施形態では、演出制御信号は、８ビットで構成されており、たとえば、９０Ｈ０１Ｈ（Ｈは１６進数を示す記号である）で表す。主制御用ＣＰＵ５２から出力された演出制御信号は、主制御用ＣＰＵ５２の出力ポート５２ａから、主制御用ＣＰＵ側の出力バッファ５１ａに一時的に格納される。
【０１２８】
続いて、出力バッファ５１ａから出力された演出制御信号は、書換え回路６９を介して演出制御用ＣＰＵ側の入力バッファ４０５に一時的に格納される。そして、主制御用ＣＰＵ５２の出力ポート５２ｂから出力された転送信号が、主制御用ＣＰＵ側の出力バッファ５１ｂおよび演出制御用ＣＰＵ側の入力バッファ４０６を介して演出制御用ＣＰＵ４０２の入力ポート４０４に入力されると、それがトリガとなって、入力バッファ４０５に格納されている演出制御信号が、演出制御用ＣＰＵ４０２の入力ポート４０３に入力される。
【０１２９】
そして、演出制御用ＣＰＵ４０２は、入力ポート４０３に入力された演出制御信号を解析して制御対象を判定し、その判定結果に従って演出制御信号を画像音声制御基板７０、盤面ＬＥＤ中継端子板８１および補助演出駆動基板５００のいずれかへ出力する。たとえば、演出制御用ＣＰＵ４０２は、入力した演出制御信号が、演出表示器３０の画像を制御するものであった場合は、それを画像音声制御基板７０へ出力する。
【０１３０】
また、書換え回路６９は、主制御基板ケース５７が開封されたことを示す履歴が開封検出回路６７の記憶部６７ｂに記憶されている場合は、出力バッファ５１ａから入力した演出制御信号を、演出装置を制御することができない信号に書換える。
たとえば、主制御用ＣＰＵ５２および演出制御用ＣＰＵ４０２間における通信の取り決めにおいて、演出制御信号として取り決めていない信号に書換える。
【０１３１】
また、主制御用ＣＰＵ５２と、払出制御基板６０（図１９）に搭載された払出制御用ＣＰＵ６２とも、入出力バッファおよび通信回路を介して電気的に接続されている。そして、主制御用ＣＰＵ５２は、前述した演出制御用ＣＰＵ４０２に対する通信手順と同じ通信手順にて払出制御信号を払出制御用ＣＰＵ６２へ出力する。
【０１３２】
［主制御用ＣＰＵの主な処理］
次に、主制御用ＣＰＵ５２が実行する主な処理について図を参照して説明する。図２２は、主制御用ＣＰＵ５２が実行する主な処理の内容を示すフローチャートである。
【０１３３】
主制御用ＣＰＵ５２は、パチンコ機１が起動したときに初期設定を実行する（Ｓ１０）。この初期設定では、スタックポインタ、割込み禁止、マスカブル割込みモード、主制御用ＣＰＵ内蔵ＲＡＭのアクセス許可などを設定する。また、主制御用ＲＡＭ７４の初期化を行い、特別図柄表示装置３１および普通図柄表示装置３３にそれぞれ初期図柄を表示させる。
【０１３４】
また、演出制御基板４００に初期化コマンドを出力し、演出表示器３０に初期演出図柄を表示させ、効果音、ＬＥＤおよび各可動役物４０〜４５を初期状態に設定する。また、初期状態指定コマンドを払出制御基板６０へ出力し、払出制御基板６０を初期状態に設定する。さらに、遊技に用いるカウンタおよびタイマの初期設定を行う。
【０１３５】
続いて、主制御用ＣＰＵ５２は、遊技処理を実行する（Ｓ２０）。この遊技処理では、遊技に必要な処理を実行する。たとえば、入賞の検出、大当り判定、特別図柄および普通図柄の変動パターンの決定、演出制御信号の送信などを実行する。
【０１３６】
［演出制御信号書換え処理］
次に、書換え回路６９が実行する演出制御信号書換え処理について図を参照して説明する。図２３は、書換え回路６９が実行する演出制御信号書換え処理の内容を示すフローチャートである。
【０１３７】
書換え回路６９は、演出制御信号を入力したか否かを判定し（Ｓ３０）、入力したと判定した場合は（Ｓ３０：Ｙｅｓ）、開封検出回路６７の記憶部６７ｂに記憶されている履歴データを読込み（Ｓ３１）、その読込んだデータが１であるか否かを判定する（Ｓ３２）。ここで、読込んだデータが１であると判定した場合は（Ｓ３２：Ｙｅｓ）、演出制御用ＣＰＵ４０２へ送信する演出制御信号を、演出装置を制御することができない信号に書換える（Ｓ３３）。
【０１３８】
これにより、演出表示器３０による演出図柄や演出画像の表示、スピーカ１０〜１２による音声の出力、各ＬＥＤの点灯および可動役物４０〜４５の作動など、各種の演出を行うことができなくなる。
【０１３９】
つまり、主制御基板ケース５７が開封された履歴が記憶部６７ｂに記憶されている場合は、遊技の演出が行われないようにすることができる。
したがって、起動しても演出が行われないパチンコ機を発見することにより、主制御基板ケース５７を開封して主制御用ＭＰＵ６１を、大当りの発生確率が規定よりも高く設定された不正なものに交換するなどの不正行為が行われたパチンコ機を容易に発見することができる。また、演出が行われないと遊技が成立しないため、不正な賞球の払出しを阻止することもできる。
【０１４０】
［第１実施形態の効果］
（１）上述したように、第１実施形態のパチンコ機１を使用すれば、主制御基板ケース５７を開封すると、演出表示器３０、各スピーカ１０〜１２、ＬＥＤおよび可動部材４０〜４５などの演出装置が作動しなくなるため、演出装置が作動しないパチンコ機を発見することにより、主制御基板ケース５７を開封して不正行為が行われたパチンコ機を容易に発見することができる。
しかも、演出装置が作動しないと遊技が成立しないため、不正な賞球の払出しを阻止することもできる。
【０１４１】
（２）また、記憶部６７ｂが主制御基板５０以外の箇所に設けられているため、主制御基板５０を丸ごと不正な基板に交換された場合であっても、検出部６７ａによる検出結果の履歴が記憶部６７ｂに記憶されるため、主制御基板ケース５７を開封して不正行為が行われたパチンコ機を容易に発見することができる。
【０１４２】
（３）さらに、検出部６７ａの検出機能および記憶部６７ｂの記憶内容がバックアップ電源６７ｃによって保持されているため、パチンコ機１に電源が供給されていない状態において主制御基板ケース５７を開封する不正行為があった場合に、その検出結果の履歴を記憶部６７ｂに記憶保持することができる。
【０１４３】
たとえば、パチンコホールに設置する前の段階において、主制御基板ケース５７を開封する不正行為の履歴を記憶部６７ｂに記憶保持することができるため、パチンコ機をパチンコホールに設置し、パチンコ機を試射した時点で、不正行為が行われたパチンコ機を容易に発見することができる。
したがって、パチンコホールに新しく導入されたパチンコ機が稼働する前の段階で、不正行為による被害を未然に防ぐことができる。
【０１４４】
（４）さらに、主制御基板ケース５７を開封しないまでも、ケース本体５５およびカバー５６の一方を他方に対して少しでもスライドさせると、スイッチＳＷ１がスイッチング動作し、その履歴が記憶部６７ｂに記憶されるため、主制御基板ケース５７を開封しようとした痕跡をも検出することができる。
【０１４５】
〈第２実施形態〉
次に、この発明の第２実施形態について説明する。図２４は、この実施形態に係るパチンコ機の電気的構成の一部をブロックで示す説明図である。なお、この実施形態に係るパチンコ機は、電気的構成の一部を除いて前述の第１実施形態に係るパチンコ機１と同じ構成および機能であるため、同じ部分の説明を省略する。また、図２４では、バックアップ電源６７ｃを省略している。
【０１４６】
演出制御基板４００には、検出部６７ａおよび記憶部６７ｂを備えた開封検出回路６７が搭載されている。払出制御基板６０には、検出部６７ａと電気的に接続された記憶部６７ｂが搭載されている。各記憶部６７ｂは、書換え回路６９と電気的に接続されている。検出部６７ａの同一の検出結果の履歴が、各記憶部６７ｂにそれぞれ記憶される。書換え回路６９は、各記憶部６７ｂに記憶されている検出結果の履歴を読取り、少なくとも１つの記憶部６７ｂに、主制御基板ケース５７を開封した履歴が記憶されている場合は、主制御用ＣＰＵ５２が演出制御用ＣＰＵ４０２へ送信する演出制御信号を、演出装置を制御することができない信号に書換える処理を行い、演出装置が作動しないようにする。
【０１４７】
［第２実施形態の効果］
上述したように、第２実施形態のパチンコ機１を使用すれば、記憶部６７ｂが複数の基板に設けられているとともに同一の検出結果の履歴が各記憶部６７ｂに記憶されるため、記憶部６７ｂが設けられた１つの基板が不正に交換された場合であっても、その他の交換されていない基板に設けられた記憶部６７ｂに検出結果の履歴を記憶することができる。
【０１４８】
したがって、主制御基板ケース５７を開封し、さらに、１つの記憶部６７ｂに記憶されている履歴を消去したり、記憶部６７ｂを不正なものに交換したりするなどの不正行為が行われた場合であっても、演出装置が作動しないようにすることができる。
したがって、主制御基板ケース５７を開封して不正行為が行われたパチンコ機の発見に万全を期すことができる。
【０１４９】
〈第３実施形態〉
次に、この発明の第３実施形態について説明する。図２５は、この実施形態に係るパチンコ機の電気的構成の一部をブロックで示す説明図である。
【０１５０】
ケース本体５５の右側面５５ｃには、一対の第１導電部ＳＷ２ａが取付けられており、カバー５６の右側面５６ｃの裏面５６ｃ１には、一対の第１導電部ＳＷ２ａを短絡可能な第２導電部ＳＷ２ｂが取付けられている。一対の第１導電部ＳＷ２ａおよび第２導電部ＳＷ２ｂが、主制御基板ケース５７の開封を検出するスイッチＳＷ２を構成している。
【０１５１】
第１導電部ＳＷ２ａおよび第２導電部ＳＷ２ｂは、それぞれ銅または金などの導電性材料により、板状または膜状に形成されている。主制御基板ケース５７が開封されていない状態では、第１導電部ＳＷ２ａおよび第２導電部ＳＷ２ｂが接触して電気的に接続され、第１導電部ＳＷ２ａが第２導電部ＳＷ２ｂによって短絡され、スイッチＳＷ２がオンした状態になる。また、主制御基板ケース５７が開封されると、第１導電部ＳＷ２ａおよび第２導電部ＳＷ２ｂが離反して電気的に非接続状態になり、スイッチＳＷ２がオフした状態になる。
【０１５２】
つまり、主制御基板ケース５７を開封すると、スイッチＳＷ２がオフ動作し、それを開封検出回路６７の検出部６７ａが検出し、その検出結果を記憶部６７ｂに記憶する。
上述したように、第３実施形態に係るパチンコ機１は、主制御基板ケース５７の開封を検出するためのスイッチの構成が異なる以外は前述した第１実施形態に係るパチンコ機１と同じ構成および機能を備えるため、第１実施形態と同じ効果を奏することができる。
【０１５３】
〈第４実施形態〉
次に、この発明の第４実施形態について説明する。
従来、払出制御用ＭＰＵ６１を交換し、規定数よりも多くの賞球が払出されるようにする不正行為が行われ、パチンコホールが損害を被っていた。そこで、この第４実施形態のパチンコ機は、そのような不正行為によるパチンコホールの損害が発生しないようにすることを目的としており、払出制御用ＭＰＵ６１が不正なものに交換されたパチンコ機を容易に発見することができることを特徴としている。
【０１５４】
払出制御基板ケース６５（図７）も主制御基板ケース５７と同様にケース本体およびカバーから構成されている。また、そのケース本体およびカバーが相互に対向する部位には、スイッチＳＷ１またはスイッチＳＷ２が設けられており、そのスイッチは、払出制御基板６０および主制御基板５０以外の箇所に設けられた開封検出回路６７と電気的に接続されており、その開封検出回路６７は主制御用ＭＰＵ５１と電気的に接続されている。
【０１５５】
そして、書換え回路６９は、払出制御基板ケース６５が開封された履歴が記憶部６７ｂに記憶されている場合は、主制御用ＣＰＵ５２が払出制御用ＣＰＵ６２へ出力する払出制御信号を書換える。
たとえば、主制御用ＣＰＵ５２および払出制御用ＣＰＵ６２間における通信の取り決めにおいて、払出制御信号として取り決めていない信号に書換える。
【０１５６】
したがって、一度でも払出制御基板ケース６５を開封すると賞球払出装置３８が作動しないため、賞球払出装置３８が作動しないパチンコ機を発見することにより、払出制御基板ケース５７を開封して不正行為が行われたパチンコ機を容易に発見することができる。また、賞球払出装置３８が作動しないため、不正な賞球の払出しを阻止することもできる。
【０１５７】
また、記憶部６７ｂが払出制御基板６０以外の箇所に設けられているため、払出制御基板６０を丸ごと不正な基板に交換された場合であっても、検出部６７ａによる検出結果の履歴が記憶部６７ｂに記憶されるため、払出制御基板ケースを開封して不正行為が行われたパチンコ機を容易に発見することができる。また、賞球払出装置３８が作動しないため、不正な賞球の払出しを阻止することもできる。
【０１５８】
〈他の実施形態〉
（１）記憶部６７ｂを視認不可能な箇所に設けることもできる。たとえば、記憶部６７ｂを遊技盤５の内部に埋設し、記憶部６７ｂを取出そうとすると、記憶部６７ｂの埋設部位が破損するように構成する。この構成を用いれば、記憶部６７ｂを容易に交換することができないため、記憶部６７ｂに記憶されている履歴を消去したり、記憶部６７ｂを履歴が記憶されていない不正なものに交換したりする不正行為を防ぐことができる。
【０１５９】
（２）第１実施形態においてスイッチＳＷ１をａ接点方式のスイッチにより構成することもできる。この構成を用いれば、スイッチＳＷ１は、主制御基板ケース５７が開封されていない状態ではオンした状態になり、主制御基板ケース５７が開封されるとオフになる。そして、開封検出回路６７は、スイッチＳＷ１がオフになったことを検出するとともに、その履歴を記憶する。
【０１６０】
（３）第３実施形態において第１導電部ＳＷ２ａおよび第２導電部ＳＷ２ｂの少なくとも一方をバネなどの付勢部材によって相対向する方向へ付勢した構成にすることもできる。この構成を用いれば、主制御基板ケース５７を閉成したときに、第１導電部ＳＷ２ａおよび第２導電部ＳＷ２ｂ間に隙間が発生することによる接触不良をなくすことができる。
スイッチＳＷ１およびスイッチＳＷ２は、主制御基板ケース５７が開封されたことを検出することができれば、どのような構成でも良い。
【０１６１】
（４）主制御基板ケース５７を開封した履歴が記憶部６７ｂに記憶されている場合は、パチンコ機１を起動したときに、主制御用ＣＰＵ５２と他の制御用ＣＰＵとの通信を禁止すると同時に、主制御基板ケース５７が開封された履歴が記憶されていることを報知することもできる。たとえば、パチンコ機１の所定個所に報知用のＬＥＤを設け、そのＬＥＤを点灯または点滅させて報知する。
【符号の説明】
【０１６２】
１・・パチンコ機、４・・発射制御基板（発射装置）、５・・遊技盤、
２１・・第１始動口（始動口）、２２・・第２始動口（始動口）、
３０・・演出表示器（演出装置）、５０・・主制御基板、
５１・・主制御用ＭＰＵ（主制御回路）、５５・・ケース本体（第１部材）、
５６・・カバー（第２部材）、５７・・主制御基板ケース、６７・・開封検出回路、
６７ａ・・検出部、６７ｂ・・記憶部（記憶手段）、
６７ｃ・・バックアップ電源、６９・・書換え回路（信号書換え手段）、
１００・・封印シール、２００・・ＲＦタグ、
ＳＷ１，ＳＷ２・・スイッチ（検出手段）。
【図１】
0005483454.tif 000002
【図２】
0005483454.tif 000003
【図３】
0005483454.tif 000004
【図４】
0005483454.tif 000005
【図５】
0005483454.tif 000006
【図６】
0005483454.tif 000007
【図７】
0005483454.tif 000008
【図８】
0005483454.tif 000009
【図９】
0005483454.tif 000010
【図１０】
0005483454.tif 000011
【図１１】
0005483454.tif 000012
【図１２】
0005483454.tif 000013
【図１３】
0005483454.tif 000014
【図１４】
0005483454.tif 000015
【図１５】
0005483454.tif 000016
【図１６】
0005483454.tif 000017
【図１７】
0005483454.tif 000018
【図１８】
0005483454.tif 000019
【図１９】
0005483454.tif 000020
【図２０】
0005483454.tif 000021
【図２１】
0005483454.tif 000022
【図２２】
0005483454.tif 000023
【図２３】
0005483454.tif 000024
【図２４】
0005483454.tif 000025
【図２５】
0005483454.tif 000026
【図２６】
0005483454.tif 000027
【図２７】
0005483454.tif 000028